(57)【要約】【課題】設置面積を変えずに複数の流体の混合率を大幅に高めることができる流体混合装置を提供する。【解決手段】複数の階層に分かれて配置された複数の流路単位２０ａ〜２０ｇを備える。各流路単位はそれぞれ、流入口と、流出口と、流入口と流出口とを連通する複数の分岐流路とを有する。異なる階層に位置する流路単位どうしは、流路単位どうし流入口と流出口とで連結されて全体として立体流路４を構成する。各流路単位の流入口から流出路へ向かう方向を流路単位の流れ方向としたときに、その流れ方向が各階層間で交差している。【選択図】図２
2016059874.tif 000002
【特許請求の範囲】
【請求項１】
複数の流体を混合する流体混合装置であって、
複数の階層に分かれて配置された複数の流路単位を備え、
前記流路単位はそれぞれ、流入口と、流出口と、前記流入口と前記流出口とを連通する複数の分岐流路と、を有し、
互いに異なる階層に位置する一方の前記流路単位の前記流入口と他方の前記流路単位の前記流出口とが連結されて立体流路が構成されており、
前記流入口から前記流出口へ向かう方向を、個々の前記流路単位における流体の流れ方向としたときに、その流れ方向が各階層間で交差していることを特徴とする流体混合装置。
【請求項２】
連結されている前記流路単位の流れ方向が、互いに直交している請求項１記載の流体混合装置。
【請求項３】
前記流路単位の分岐流路は、前記流入口から流入した流体を２つに分割してそれら分流流体がそれぞれ離れる方向に導く２つの第１流路と、それぞれの前記第１流路からターンして互いに近づく方向に分流流体を導いて合流させる２つの第２流路とからなる請求項１または２記載の流体混合装置。
【請求項４】
前記２つの第１流路のなす角は９０度より大きく１８０度以下の角度であり、前記２つの第２流路のなす角は１８０度より小さい角度である請求項３記載の流体混合装置。
【請求項５】
前記第１流路と前記第２流路は直線又は曲線である請求項３または４記載の流体混合装置。
【請求項６】
少なくとも１つの前記階層に、前記流路単位が複数配置されている請求項１ないし５のいずれかに記載の流体混合装置。
【請求項７】
前記複数の流路単位を有する少なくとも２つの前記階層が重ねられている請求項１ないし６のいずれかに記載の流体混合装置。
【請求項８】
複数の流路プレートがその厚み方向に重ねられて積層され、一方の流路プレートの表面に形成された溝と、これに重ねられる他方の流路プレートの平面との間に前記流路単位が形成されており、３枚以上の前記流路プレートが重ねられることにより、複数の前記階層が形成されている請求項１ないし７のいずれかに記載の流体混合装置。
【発明の詳細な説明】
【技術分野】
【０００１】
本発明は、流入した複数の流体を混合させて流出する流体混合装置に関する。
【背景技術】
【０００２】
流体混合装置としては、人体摂取物などの試料と試薬を混合させて化学反応させたり、分析したりするマイクロミキサーやマイクロリアクタが挙げられる。特許文献１に開示されている流体混合装置は、流路プレートに溝を設けて流路を形成するものである。この流路は、試料と試薬をそれぞれ導入する２つの流入路と、１つの流出路を備え、２つの流入路に導入された試料と試薬を合流させて流出路に導くようになっている。
【先行技術文献】
【特許文献】
【０００３】
【特許文献１】特開２００８−２８４６２６号公報
【発明の概要】
【発明が解決しようとする課題】
【０００４】
特許文献１に記載された流体混合装置の流路は、平面的であり、試料と試薬は、２つの流入路から合流して流出路まで一方向に流れる。このような平面的な流路では、流体を合流させても、混合効率が悪いという問題がある。また、混合効率を高めるために、合流させる流路を長くしたり、分岐と合流の数を増やしたりすることも考えられるが、このような流路構成では設置面積が大きくなってしまう。【０００５】
本発明は、上記従来の課題を解決するものであり、設置面積を過大にすることなく流体の混合率を効率良く高めることができる流体混合装置を提供することを目的としている。
【課題を解決するための手段】
【０００６】
本発明の流体混合装置は、複数の流体を混合する流体混合装置であって、
複数の階層に分かれて配置された複数の流路単位を備え、
前記流路単位はそれぞれ、流入口と、流出口と、前記流入口と前記流出口とを連通する複数の分岐流路と、を有し、
互いに異なる階層に位置する一方の前記流路単位の前記流入口と他方の前記流路単位の前記流出口とが連結されて立体流路が構成されており、
前記流入口から前記流出口へ向かう方向を、個々の前記流路単位における流体の流れ方向としたときに、その流れ方向が各階層間で交差していることを特徴とするものである。【０００７】
本発明の流体混合装置は、複数の流体が流入されると、立体流路の各流路単位を通って、分流、合流、方向転換が繰り返されるので、流体を効率良く混合して流出させることができる。このとき、流路単位の流れ方向が各階層間で交差しているので、各階層の流路単位を流れるごとに、流体を異なる方向へ分割することができ、さらに分割された流体を合流させ、この分割と合流を方向を変えて繰り返えすことができる。これにより、複数の流体の混合効率を大幅に向上させることができる。さらに、各階層に流路単位を配置するので、階層を増やすことによって流路単位を増やすことができる。これにより、設置面積を変えることなく、複数の流体の混合効率を効率良く高めることができる。【０００８】
本発明の流体混合装置においては、連結されている前記流路単位の流れ方向が、互いに直交していることが好ましい。【０００９】
異なる階層に配置された流路単位の流れ方向を直交させることで、一方の流路単位から次の流路単位に至ったときに流体を直交方向へ分岐させることができるようになり、流体の混合効率を高めることができる。【００１０】
本発明の流体混合装置は、前記流路単位の分岐流路は、前記流入口から流入した流体を２つに分割してそれら分流流体がそれぞれ離れる方向に導く２つの第１流路と、それぞれの前記第１流路からターンして互いに近づく方向に分流流体を導いて合流させる２つの第２流路とからなるものとして構成される。【００１１】
この場合に、前記２つの第１流路のなす角は９０度より大きく１８０度以下の角度であり、前記２つの第２流路のなす角は１８０度より小さい角度であることが好ましい。また、前記第１流路と前記第２流路は直線又は曲線であることが好ましい。【００１２】
本発明は、少なくとも１つの前記階層に、前記流路単位が複数配置されていることが好ましい。【００１３】
また、前記複数の流路単位を有する少なくとも２つの前記階層が重ねられているものがさらに好ましい。【００１４】
本発明の流体混合装置は、複数の流路プレートがその厚み方向に重ねられて積層され、一方の流路プレートの表面に形成された溝と、これに重ねられる他方の流路プレートの平面との間に前記流路単位が形成されており、３枚以上の前記流路プレートが重ねられることにより、複数の前記階層が形成されているものとして構成できる。
【発明の効果】
【００１５】
本発明の流体混合装置は、流路単位の流れ方向が各階層間で交差しているので、各階層の流路単位に流れるごとに、流体を分割することができ、しかもそのような流体の分割と集合を、方向を変えながら繰り返すことができる。よって、複数の流体の混合効率を大幅に向上させることができる。さらに、階層を増やすことで、流路単位を増やすことができので、平面積を広くすることなく、流体の混合効率を高めることができる。
【図面の簡単な説明】
【００１６】
【図１】本発明の実施形態に係る流体混合装置の外観を示す斜視図である。
【図２】本実施形態に係る流体混合装置の内部に形成される立体流路の構成を説明するための斜視図である。
【図３】図２に示す立体流路を構成する流路単位の基本形状を説明するための斜視図である。
【図４】図３に示す流路単位の基本形状の平面図である。
【図５】図２に示す立体流路に含まれる流路パターンを説明するための斜視図である。
【図６】本実施形態における立体流路内を流れる流体の流れを説明するための斜視図である。
【図７】図１に示す流体混合装置の構成を説明するための分解斜視図である。
【図８】図７に示す第２階層を構成する流路プレートの構成を示す斜視図である。
【図９】図８に示す流路プレートの下面図である。
【図１０】本実施形態における流路単位の基本形状についての変形例を示す図である。
【図１１】本実施形態における流路単位の基本形状についての他の変形例を示す図である。
【発明を実施するための形態】
【００１７】
以下に添付図面を参照しながら，本発明の実施形態に係る流体混合装置について詳細に説明する。ここでは、血液などの人体摂取物試料と試薬を混合させる流体混合装置を例に挙げる。ただし、混合すべき流体はこれに限られるものではない。
【００１８】
図１は、本発明の実施形態に係る流体混合装置１の全体構成を示す外観斜視図であり、図２は、流体混合装置１の内部に形成される立体流路の形状を示す図である。
【００１９】
図１に示す流体混合装置１は、その最上部に設けられた流体入口２と、最下部に設けられた流体出口３を備える。流体入口２と流体出口３は、流体混合装置１の内部に形成される立体流路４に通じている。複数の流体が流体入口２から流入されると、立体流路４で混合されて流体出口３から流出される。
【００２０】
図２に示すように、立体流路４は、上下方向に並ぶ複数の階層に配置された複数の流路単位２０によって構成される。これらの流路単位２０は、同様の基本形状により構成され、複数の階層に分かれて配置されている。図２に示す立体流路４は、７つの流路単位２０が４つの階層に分かれて配置されている。図２以下では、個々の流路単位２０を区別するために、個々の流路単位に符号２０ａ〜２０ｇを付して説明することがある。流体入口２から流体が導入されると、流路単位２０ａ→２０ｂ→２０ｃ→２０ｄ→２０ｅ→２０ｆ→２０ｇの順に流体が流れて、流体出口３から排出される。
【００２１】
図２に示す立体流路４の階層を上から第１〜第４階層とすると、第１階層に１つの流路単位２０ｂが配置され、第２階層に２つの流路単位２０ａ、２０ｃが配置されている。第３階層に２つの流路単位２０ｆ、２０ｄが配置され、第４階層に２つの流路単位２０ｅ、２０ｇが配置されている。
【００２２】
ここで、各流路単位２０ａ〜２０ｇの基本形状について図面を参照しながら説明する。図３は本実施形態における流路単位２０の基本形状を示す斜視図であり、図４は図３に示す流路単位の基本形状の平面図である。
【００２３】
図３と図４に示すように、流路単位２０はそれぞれ、流入口２１と、流出口２２を備え、流入口２１から流入する流体が流出口２２に向けて一方向（ここでは水平方向）の流れを形成するように構成される。流入口２１から流出口２２までの途中には、これらを連通する２つの分岐流路２３が形成されている。
【００２４】
分岐流路２３は、流入口２１から流入した流体を２つに分岐し、分流した流体を互いに離れる方向に導く２つの第１流路２３ａ、２３ｂと、各第１流路２３ａ、２３ｂからターンして互いに近づく方向に流体を導いて合流させる２つの第２流路２３ｃ、２３ｄとから構成されている。第１流路２３ａ、２３ｂのなす角度αは９０度より大きく１８０度以下であり、第２流路２３ｃ、２３ｄのなす角度βは１８０度より小さい。これにより、分流した流れをターンさせて合流させることができる。図４に示す実施の形態では、第１流路２３ａ、２３ｂのなす角度αが１８０度で、第２流路２３ｃ、２３ｄのなす角度βが９０度である。流入口２１から流入した流体を効率よく分割させるためには、第１流路２３ａ、２３ｂのなす角度αが１８０度であることが好ましい。
【００２５】
図３に示す流路単位２０では、第２流路２３ｃ、２３ｄを経て合流した流体をさらに流出口２２に導く合流流路２３ｅが連続して形成されている。
【００２６】
図２に示す立体流路４では、異なる階層に位置する流路単位２０どうしが連結されている。例えば、流路単位２０ａの流出口２２は、その上の階層に位置する流路単位２０ｂの流入口２１に連結され、流路単位２０ｂの流出口２２は、その下の階層に位置する流路単位２０ｃの流入口２１と連結されている。
【００２７】
そのため、個々の流路単位２０では、流入口２１と流出口２２の開口方向すなわち、流入口２１と流出口２２で流体が流れる方向が、流路単位２０の流体の流れの方向（図３の紙面）に対して垂直方向に向けられている。
【００２８】
流入口２１と流路口２２は、どの階層の流路単位と接続するかによって、上側または下側のいずれかに向けて開口している。例えば、図２に示す流路単位２０ａでは、流入口２１の開口方向と流出口２２の開口方向が共に上向きであるが、流路単位２０ｄでは、流入口２１の開口方向が上向きで、流出口２２の開口方向が下向きである。図３に示す流路単位２０は、流入口２１と流路口２２の開口方向がともに上向きであり、この流路単位２０は流入側の連結される流路単位と流出側に連結される流路単位が、共に上の階層に位置する。
【００２９】
このように、異なる階層に位置する流路単位２０どうしは、流入口２１と流出口２２とが連結されて全体として立体流路４を構成する。すなわち、流路単位２０の流入口２１はその流路単位２０が配置される階層とは異なる階層の流路単位の流出口２２に接続され、流路単位２０の流路口２２はその流路単位２０が配置される階層とはさらに異なる階層の流路単位の流入口２１に接続される。このように、各階層の流路単位を接続することによって様々な流路パターンを構成することができる。
【００３０】
図５では、図２に示す立体流路４の一部、すなわち流路単位２０ｂ〜２０ｅを取り出して示している。
【００３１】
図５に示す流路パターンでは、各流路単位２０ｂ〜２０ｅの流体の流れ方向が互いに９０度の角度で交差している。本明細書では、図４に示すように、個々の流路単位２０において、流入口２１の中心と流出口２２の中心とを結び且つ図４の紙面と平行な中心線Ｏｆの方向を流体の流れ方向としている。図５に示す流路パターンでは、互いに連結されている各流路単位２０ｂ〜２０ｅの流体の流れ方向が全て直交している。すなわち連結される流路単位２０の中心線Ｏｆどうしが直交している。流路単位２０ｂの流れの方向（中心線Ｏｆの方向）はＸＹＺ直交座標のＸ方向であり、流路単位２０ｃの流れの方向はＹ方向である。流路単位２０ｄの流れの方向はＸ方向であり、流路単位２０ｂの流れの方向と逆向きである。流路単位２０ｅの流れの方向はＹ方向であり、流路単位２０ｃの流れの方向と逆向きである。
【００３２】
このように構成することにより、各階層の流路単位を流れるごとに、流体をその流れ方向を垂直に分割して分流することができ、しかも方向を変えながら繰り返すことができる。これにより、複数の流体の混合効率を大幅に向上させることができる。また、図５に示すように、流体混合装置１内を一回転するような流れを形成することができるため、流路全体の設置面積を小さくすることができる。
【００３３】
図２に示す立体流路４では、第１階層に位置する流路単位２０ｂの流入口２１が下方に向けられ、第２階層に位置する流路単位２０ａの流出口２２に接続されている。流路単位２０ｂの流出口２２は下方へ向けられ、第２階層の流路単位２０ｃの流入口２１に接続されている。第２階層の流路単位２０ｃの流出口２２は下方へ向けられ、第３階層の流路単位２０ｄの流入口２１に接続されている。流路単位２０ｄの流出口２２は下方に向けられ、第４階層の流路単位２０ｅの流入口２１に接続されている。流路単位２０ｅの流出口２２は上方に向けられ、第３階層に位置する流路単位２０ｆの流入口２１に接続されている。そして、流路単位２０ｆの流出口２２は、第４階層に位置する流路単位２０ｇの流入口２１に接続されている。
【００３４】
全ての流路単位２０ａ〜２０ｇにおいて、連結している流体単位どうしの流れ方向（中心線Ｏｆの方向）が直交している。
【００３５】
そして、流体入口２が、流路単位２０ａの流入路２１に通じており、流体出口３が、流路単位２０ｇの流出口２２に通じている。
【００３６】
図６は、図５に示す流路単位２０ｃ、２０ｄ、２０ｅを通るときの流体の流れを説明している。図６に示すように、流体が方向を変えてＺ方向から流路単位２０ｃの流入口２１に流入すると、その流体は、流路単位２０ｃの分岐流路２３（第１流路２３ａ、２３ｂ）によって２つに分割されてＸ方向において互いに逆向きに分流し、その後、第２流路２３ｃ、２３ｄを通過しターンしてＹ方向に合流して流出口２２に導かれる。その流体の流れは、９０度向きを変えてＺ方向から流路単位２０ｄの流入口２１に流入し、流路単位２０ｄの分岐流路２３によって２つに分割されてＹ方向において互いに逆向きに分流し、その後ターンしてＸ方向に合流して流出口２２に導かれる。その流体の流れは、９０度方向を変えてＺ方向から流路単位２０ｅの流入口２１に流入し、流路単位２０ｅの分岐流路２３によって２つに分割されてＸ方向において互いに逆向きに分流し、その後ターンしてＹ方向に合流して流出口２２に導かれる。
【００３７】
このように、流路単位２０ｃに入って流れが分割される方向（Ｘ方向）と、次の流路単位２０ｄに入って流れが分割される方向（Ｙ方向）と、次の流路単位２０ｅに入って流れが分割される方向（Ｘ方向）が常に交差する方向、好ましくは直交する方向となるため、流体の混合効率を大幅に向上させることができる。
【００３８】
次に、このような立体流路４の積層構造について詳細を説明する。図２に示すような立体流路４は、各流路単位２０ａ〜２０ｇを配管で作成してこれらを接続して構成してもいいが、実施の形態のように、各階層を複数の流路プレートで構成し、各流路プレートに形成した溝によって流路単位を構成することが好ましい。
【００３９】
図１に示す流体混合装置１は、各流路単位２０ａ〜２０ｇを溝で形成した流路プレート１１〜１４を重ねることによって、立体流路４を構成している。図７は、本実施形態にかかる流体混合装置１の分解斜視図である。図８は、図７に示す上から第２段目の流路プレート１２の構成を示す斜視図であり、図９はその下面図である。
【００４０】
図７に示すように、流体混合装置１は、上から第１〜第４階層を構成する流路プレート１１〜１４とベースプレート１５とが重ねて構成されている。流路プレート１１には、流体入口２と、流路単位２０ｂが形成されている。流路プレート１２には、流路単位２０ａ、２０ｃが形成されている。流路プレート１３には、流路単位２０ｄ、２０ｆが形成されている。流路プレート１４には、流路単位２０ｅ、２０ｇが形成されている。ベースプレート１５には、流体出口３が形成されている。
【００４１】
各流路単位２０ａ〜２０ｇはそれぞれ、各流路プレート１１〜１４の下側に形成された溝と、この溝を覆うように密着している隣接する流路プレートまたはベースプレートの平面との間に形成されている。このように、各流路プレート１１〜１４の下側に各流路単位２０ａ〜２０ｇの溝を形成した場合には、各流路単位の流入口２１と流出口２２とをそれぞれ接続する接続流路は、各流路プレート１１〜１４の上側に貫通して形成される貫通孔によって構成される。
【００４２】
例えば図８、図９に示すように、流路プレート１２においては、その下側に流路単位２０ａと２０ｃの溝が形成されており、その上側には流路単位２０ａの流入口２１と流出口２２に接続する接続流路２４、２５が形成されている。こうして、流路単位２０ａ〜２０ｇは、図７の矢印で示すように接続されて立体流路４が構成される。
【００４３】
このように、本実施形態にかかる流体混合装置１においては、各階層を構成する流路プレート１１〜１４に各流路単位２０ａ〜２０ｇを形成することによって、上述した立体流路４を構成することができる。これによれば、流路単位２０ａ〜２０ｇを配管で構成して接続する場合よりも極めて簡単な構成で、本実施形態にかかる立体流路４を構成することができる。
【００４４】
なお、図７に示す流路プレート１２〜１４のように、１つの流路プレートに２つの流路単位を形成する場合には、その２つの流路単位を流路単位の流入口から流出口までの流れの方向を１８０度反転して形成することで、設置面積を少なくすることができる。このように１つの流路プレートに形成する流路単位の数を増やしたり、その密集度を高めたりするほど設置面積を減らすことができる。
【００４５】
さらに、流路プレート１２の流路単位２０ａ、２０ｃはそれぞれ、流路プレート１４の流路単位２０ｅ、２０ｇと同じ方向になるので、これら流路プレート１２、１４は同じものを用いることができる。しかも、流路プレート１４よりも下側に、流路プレート１３、１４と同じものをこの順で交互に積層するだけという簡単な構成で、図５に示す流路パターンを増やすことができる。流路パターンを増やすほど混合効率が高くなるので、より簡単に混合効率を高めることができる。
【００４６】
なお、本実施形態において、流路単位２０ａ〜２０ｇの基本形状は図４に示すものに限られるものではない。例えば図１０に示すように、分岐流路２３を曲線で構成するようにしてもよい。図１０は、第２流路２３ｃ、２３ｄを曲線にしたものであるが、第１流路２３ａ、２３ｂを曲線にしてもよい。また、図４に示す流路単位２０ａ〜２０ｇの基本形状では、第２流路２３ｃ、２３ｄに合流流路２３ｅを接続した場合を例に挙げたが、図１１に示すように合流流路はなくてもよい。図１１は、第２流路２３ｃ、２３ｄの合流部に流出口２２を形成した場合である。このような図１０、図１１に示す基本形状の流路単位２０ａ〜２０ｇによって構成した立体流路であっても、図４に示す基本形状の流路単位２０ａ〜２０ｇによって立体流路４と同様の効果を奏することができる。
【００４７】
また、図３と図４に示す流路単位２０において、流入口２１と流出口２２を互いに入れ替えた構成であってもよい。
【００４８】
以上により、本実施形態にかかる流体混合装置１においては、複数の階層に複数の流路単位２０ａ〜２０ｇを配置し、各流路単位２０ａ〜２０ｇの流れ方向が各階層間で交差するように配置することにより、流路単位２０ａ〜２０ｇを流れる層流をその境界面に垂直に分割することができ、これを繰り返すことができる。これにより、流体の混合率を大幅に向上させることができる。
【００４９】
しかも、各階層に複数の流路単位２０ａ〜２０ｇをその流れの方向が９０度ずつ変わるように配置することで、流体混合装置１内を回転するような流れを形成することができる。これにより、立体流路４全体の設置面積をよりコンパクトにすることができる。さらに、立体流路４の流路パターンを追加するだけで、層流をその境界面に垂直に分割する回数を増加することができる。これにより、設置面積を変えることなく、流体の混合率をさらに向上させることができる。
【００５０】
なお、本実施形態において図２に示す立体流路４を上下逆さにして用いることもできる。この場合、図４に示す流体の流れの方向は逆になる。これによっても、各流路単位の流れ方向が各階層間で交差するように配置されるので、流路単位を流れる層流をその境界面に垂直に分割することができ、これを繰り返すことができる。これにより、図２に示す立体流路４の場合と同様に、流体の混合率を大幅に向上させることができる。
【００５１】
また、上記実施形態では、本発明を人体摂取物などの試料と試薬を混合させる流体混合装置に適用した場合を例に挙げて説明したが、これに限られるものではなく、複数の流体を混合させる様々な流体混合装置に適用することができる。例えば本発明を液体燃料と水を混合させる流体混合装置に適用するようにしてもよい。
【符号の説明】
【００５２】
１  流体混合装置
２  流体入口
３  流体出口
４  立体流路
１１〜１４  流路プレート
２０  流路単位
２０ｂ〜２０ｇ  各流体単位
２１  流入口
２２  流出口
２３  分岐流路
２４、２５  接続流路
【図１】
2016059874.tif 000003
【図２】
2016059874.tif 000004
【図３】
2016059874.tif 000005
【図４】
2016059874.tif 000006
【図５】
2016059874.tif 000007
【図６】
2016059874.tif 000008
【図７】
2016059874.tif 000009
【図８】
2016059874.tif 000010
【図９】
2016059874.tif 000011
【図１０】
2016059874.tif 000012
【図１１】
2016059874.tif 000013
【手続補正書】
【提出日】平成28年1月5日(2016.1.5)
【手続補正１】
【補正対象書類名】特許請求の範囲
【補正対象項目名】全文
【補正方法】変更
【補正の内容】
【特許請求の範囲】
【請求項１】
複数の流体を混合する流体混合装置であって、
複数の階層に分かれて配置された複数の流路単位を備え、
前記流路単位はそれぞれ、１つのみの流入口と、１つのみの流出口と、前記流入口と前記流出口とを連通する複数の分岐流路と、を有し、
互いに異なる階層に位置する一方の前記流路単位の前記流入口と他方の前記流路単位の前記流出口とが連結されて、前記分岐流路のいずれを経ても、流体の流れる流路長がすべて同一または略同一となるように立体流路が構成されており、
前記流入口から前記流出口へ向かう方向を、個々の前記流路単位における流体の流れ方向としたときに、その流れ方向が各階層間で交差していることを特徴とする流体混合装置。
【請求項２】
連結されている前記流路単位の流れ方向が、互いに直交している請求項１記載の流体混合装置。
【請求項３】
前記流路単位の分岐流路は、前記流入口から流入した流体を２つに分割してそれら分流流体がそれぞれ離れる方向に導く２つの第１流路と、それぞれの前記第１流路からターンして互いに近づく方向に分流流体を導いて合流させる２つの第２流路とからなる請求項１または２記載の流体混合装置。
【請求項４】
前記２つの第１流路のなす角は９０度より大きく１８０度以下の角度であり、前記２つの第２流路のなす角は１８０度より小さい角度である請求項３記載の流体混合装置。
【請求項５】
前記第１流路と前記第２流路は直線又は曲線である請求項３または４記載の流体混合装置。
【請求項６】
少なくとも１つの前記階層に、前記流路単位が複数配置されている請求項１ないし５のいずれかに記載の流体混合装置。
【請求項７】
前記複数の流路単位を有する少なくとも２つの前記階層が重ねられている請求項１ないし６のいずれかに記載の流体混合装置。
【請求項８】
複数の流路プレートがその厚み方向に重ねられて積層され、一方の流路プレートの表面に形成された溝と、これに重ねられる他方の流路プレートの平面との間に前記流路単位が形成されており、３枚以上の前記流路プレートが重ねられることにより、複数の前記階層が形成されている請求項１ないし７のいずれかに記載の流体混合装置。
【手続補正書】
【提出日】平成29年3月17日(2017.3.17)
【手続補正１】
【補正対象書類名】明細書
【補正対象項目名】００２８
【補正方法】変更
【補正の内容】
【００２８】
流入口２１と流出口２２は、どの階層の流路単位と接続するかによって、上側または下側のいずれかに向けて開口している。例えば、図２に示す流路単位２０ａでは、流入口２１の開口方向と流出口２２の開口方向が共に上向きであるが、流路単位２０ｄでは、流入口２１の開口方向が上向きで、流出口２２の開口方向が下向きである。図３に示す流路単位２０は、流入口２１と流出口２２の開口方向がともに上向きであり、この流路単位２０は流入側の連結される流路単位と流出側に連結される流路単位が、共に上の階層に位置する。
【手続補正２】
【補正対象書類名】明細書
【補正対象項目名】００２９
【補正方法】変更
【補正の内容】
【００２９】
このように、異なる階層に位置する流路単位２０どうしは、流入口２１と流出口２２とが連結されて全体として立体流路４を構成する。すなわち、流路単位２０の流入口２１はその流路単位２０が配置される階層とは異なる階層の流路単位の流出口２２に接続され、流路単位２０の流出口２２はその流路単位２０が配置される階層とはさらに異なる階層の流路単位の流入口２１に接続される。このように、各階層の流路単位を接続することによって様々な流路パターンを構成することができる。
【手続補正３】
【補正対象書類名】明細書
【補正対象項目名】００３４
【補正方法】変更
【補正の内容】
【００３４】
全ての流路単位２０ａ〜２０ｇにおいて、連結している流路単位どうしの流れ方向（中心線Ｏｆの方向）が直交している。
【手続補正４】
【補正対象書類名】明細書
【補正対象項目名】００３５
【補正方法】変更
【補正の内容】
【００３５】
そして、流体入口２が、流路単位２０ａの流入口２１に通じており、流体出口３が、流路単位２０ｇの流出口２２に通じている。
【手続補正５】
【補正対象書類名】明細書
【補正対象項目名】００５２
【補正方法】変更
【補正の内容】
【００５２】
１  流体混合装置
２  流体入口
３  流体出口
４  立体流路
１１〜１４  流路プレート
２０  流路単位
２０ｂ〜２０ｇ  各流路単位
２１  流入口
２２  流出口
２３  分岐流路
２４、２５  接続流路
【国際調査報告】
2016059874.tif 000014
2016059874.tif 000015
2016059874.tif 000016
2016059874.tif 000017